(57)【要約】本発明は、ゴルフボールを収容するための上部容器と、容器から来るボールを受け取って一つづつ分配アームへ供給するフランジ、とを備えたゴルフボール・ディスペンサに関する。この分配アームは、静止位置においてほぼ垂直に配置されると共に、ゴルフボールを分配する際に水平軸線を中心として枢動する手段を有し、この枢動手段はフランジに近い上方部分に配置されている。
2005537836.tif 000002
【特許請求の範囲】
【請求項１】
ゴルフボールを収容するための上部容器と；容器から来るボールを受け取って一つづつ分配アームへ供給するためのフランジ；とを備えたゴルフボール・ディスペンサであって、この分配アームは、静止位置においてほぼ垂直に配置されると共に、フランジに近い上方部分に配置された手段であってゴルフボールを分配する時に水平軸線を中心として枢動するための手段を有することからなるゴルフボール・ディスペンサ。
【請求項２】
フランジは管状の受け口を有し、容器から来るゴルフボールはこの受け口を横切って分配アームの方へ通過することを特徴とする請求項１に基づくディスペンサ。
【請求項３】
受け口は、容器から来るゴルフボールを一つづつ案内するようになった直径を有する上方部分と、前記上方部分の直径よりも大きな直径を有する下方部分を有することを特徴とする請求項２に基づくディスペンサ。
【請求項４】
分配アームは部分的に受け口の下方部分内に挿入されており、分配アームの枢動軸線は受け口の下方部分と一体であることを特徴とする請求項２又は３に基づくディスペンサ。
【請求項５】
分配アームの上端は受け口内で分配アームが枢動するのを可能にする面取りを有することを特徴とする請求項２から４のいづれかに基づくディスペンサ。
【請求項６】
面取りは分配アームの最大枢動に対応する所定の角度に沿って形成されていることを特徴とする請求項５に基づくディスペンサ。
【請求項７】
分配アームの上端は、分配アームが枢動して分配アーム内に既に存在する第１のボールを解放した時に第２のボールが分配アーム内に進入するのを阻止する手段を有することを特徴とする前記請求項のいづれかに基づくディスペンサ。
【請求項８】
前記阻止する手段は分配アームの端部の縁からなることを特徴とする前記請求項のいづれかに基づくディスペンサ。
【請求項９】
受け口は、その下端に、分配アームの枢動に対するストッパとして作用する面取りを有することを特徴とする請求項２から８のいづれかに基づくディスペンサ。
【請求項１０】
分配アームの内径は受け口の上方部分の内径にほぼ等しいことを特徴とする請求項２から９のいづれかに基づくディスペンサ。
【請求項１１】
受け口の下方部分の内側面に配置され、分配アーム内に形成した開口と協働する、突出したカムを有し、このカムは分配アーム内に導入されたボールをロックするべく作用し、次のボールは最初のボールの上に安息し；カムは分配アームが枢動した時に分配アーム内に存在するゴルフボールを釈放するべく成形されていることを特徴とする請求項２から１０のいづれかに基づくディスペンサ。
【請求項１２】
カムは前記分配アームが所定の枢動角に達した時に分配アーム内に存在するゴルフボールを釈放することの可能な傾斜を有することを特徴とする請求項１１に基づくディスペンサ。
【請求項１３】
分配アームを休止位置か分配位置かにロックするための磁石を備えていることを特徴とする前記請求項のいづれかに基づくディスペンサ。
【請求項１４】
磁石は受け口内に配置されていることを特徴とする請求項１３に基づくディスペンサ。
【請求項１５】
分配アームはゴルフボールを精密に置くことを可能にする緩衝器を備えていることを特徴とする前記請求項のいづれかに基づくディスペンサ。
【請求項１６】
緩衝器は分配アームの下端近くに形成されたＳ字形のエルボであることを特徴とする請求項１５に基づくディスペンサ。
【請求項１７】
分配アームの下端は置いたばかりのゴルフボールを引きずるのを避けるための切欠きを有することを特徴とする前記請求項のいづれかに基づくディスペンサ。
【請求項１８】
フランジはディスペンサを高い位置に保持するための三脚を有することを特徴とする前記請求項のいづれかに基づくディスペンサ。
【請求項１９】
三脚は伸縮式の脚を有することを特徴とする請求項１８に基づくディスペンサ。
【請求項２０】
三脚は、分配アームの移動方向に垂直な垂直面内に配置されユーザに面する２本の前脚と、フランジに関し２本の前脚とは反対側に配置された第３の後脚を有することを特徴とする請求項１８又は１９に基づくディスペンサ。
【請求項２１】
２本の前脚は、第１の脚がほぼ垂直になり、第２の脚が三脚の均衡を保障するべく傾斜するようになっていることを特徴とする請求項１８から２０のいづれかに基づくディスペンサ。
【請求項２２】
フランジは傾斜したのが左脚であるような第１位置および傾斜したのが右脚であるような第２位置に２本の前脚を位置決めするための可逆的楔を有することを特徴とする請求項２１に基づくディスペンサ。
【請求項２３】
第３の脚は三脚の均衡を強化するべく錘りを受取るようになったフックを有することを特徴とする請求項２０から２２のいづれかに基づくディスペンサ。
【請求項２４】
３本の脚は着脱式であり、搬送にあたり分配アームの中に収納することの可能な直径を有することを特徴とする請求項１８から２３のいづれかに基づくディスペンサ。
【請求項２５】
フランジに対する受け口の高さを調節可能であることを特徴とする請求項２から２４のいづれかに基づくディスペンサ。
【請求項２６】
上部容器はフランジの上に配置された垂直なバレルからなり、このバレルの回転軸線は受け口の上部開口の軸線に関してオフセットされていることを特徴とする前記請求項のいづれかに基づくディスペンサ。
【請求項２７】
バレルにはディスクが被せてあり、このディスクは、ボールをバレルの空洞内で案内するべくバレルの空洞に面する周辺開口と、これらの周辺開口に向かってボールを案内する中央突起を備え、このディスペンサはディスクの縁に係合する上方へ広がった着脱可能な漏斗を更に備えていることを特徴とする請求項２６に基づくディスペンサ。
【請求項２８】
分配アームの内側にはゴルフボールの落下を緩衝するための複数の非同心的なリングが設けてあることを特徴とする前記請求項のいづれかに基づくディスペンサ。
【請求項２９】
リングは分配アームの下端に近づくにつれて前後の２つのリングの間隔が減少するように配置されていることを特徴とする請求項２８に基づくディスペンサ。
【発明の詳細な説明】
【技術分野】
【０００１】
本発明は、ゴルフボール・ディスペンサに関する。本発明は、特に、ゴルフプレーヤが彼に供給されるゴルフボールを次々と打つ練習をするゴルフ練習場に有用な用途がある。
【背景技術】
【０００２】
ゴルフボール・ディスペンサは基本的に、ゴルフプレーヤがゴルフボールを手で集めて位置決めするために屈まなくてもよいように、各動作毎に、１つのゴルフボールをティー上へ置く役割を有する。
【０００３】
ゴルフボールをティーへ自動的に分配するための自動装置は知られている。しかし、これらの装置は複雑で、動かし難く、高価である。これらの装置は電気式の機器であるか、文献FR 2,625,442に記載されているような機械的な装置である。この文献は半ば埋め込まれたシュートの形のディスペンサに関する。シュートの低い方の端部は連接棒・バネ装置を有し、一度に１つのボールをティーへ供給するようになっている。ティーはシュートによって供給する際には地下に配置される。操作ペダルはティーを表面に戻すのを可能にする。シュートは固定されている。
【０００４】
また、ゴルフプレーヤが場合によりディスペンサ・レバーを操作してボールをティーの上に摺動させるようになった携帯式装置が知られている。
【０００５】
文献EP 0,272,001は垂直な姿勢の中空アームに関する。ボールはこのアームの中に貯蔵されている。下端には枢軸に装着され２つの突起を備えた保持装置が設けてあり、第１の突起は下側の第１ボールを保持するべく部分的にアームの中に配置してあり、第２の突起は第１の突起が外に向って枢動した時にアームの内側に部分的に位置決めされるようになっている。第２の突起がアームの内側に位置決めされた時には、この突起は第１のボールが第１の突起から解放された時に下側の第２のボールが降下するのを妨げる。
【０００６】
文献DE 196 27,187には垂直軸線を中心として水平に枢動する方式の分配アームが記載してある。このアームの下端にはボールを位置決めするためのエルボが設けてある。このエルボ部はティー上に置いた時にボールに接触しないようにカットしてある。弾性復帰装置はゴルフボールを分配できる状態にある休止位置にアームを持ち来すのを可能にする。
【発明の開示】
【０００７】
本発明の目的は、堅牢であると同時に簡単な新規なゴルフボール・ディスペンサを提供することである。本発明の他の目的は、ゴルフプレーヤの操作を低減するべく重力を最大限に使用することである。
【０００８】
前記目的の少なくとも１つは、ゴルフボールを収容するための上部容器と；容器から来るボールを受け取って一つづつ分配アームへ供給するためのフランジとを備えたゴルフボール・ディスペンサによって達成される。本発明に従えば、分配アームは、静止位置においてほぼ垂直に配置してあると共に、フランジに近い上方部分に配置された手段であってゴルフボールを分配する時に水平軸線を中心として枢動するための手段を備えている。
【０００９】
本発明の装置においては、枢動は揺動運動である。分配アームは重力によりその休止位置へ戻る。分配アームがその休止位置へ戻るためにはゴルフプレーヤが分配アームを放せば足りる。既存の大部分の装置においては、復帰は一般にばねを用いて強制される。ところが、バネは錆びたり折れたりしやすい部材であり、メンテナンスと復帰力の調整を必要とする。
【００１０】
そこで、ゴルフボールを一つづつティー又は練習マットの上へ又は直接地面へ降下させるために重力を利用する。プレーヤはゴルフクラブを用いて分配アームの下部を引っ張ることにより、選ばれた領域の上方の分配位置へ分配アームを持ち来すことができる。
【００１１】
より詳しくは、フランジは管状の受け口を有し、容器から来るゴルフボールはこの受け口を横切って分配アームの方へ通過する。受け口は、容器から来るゴルフボールを一つづつ案内するようになった直径を有する上方部分と、前記上方部分の直径よりも大きな直径を有する下方部分を有することができる。
【００１２】
好ましくは、分配アームは部分的に受け口の下方部分内に挿入することができ、分配アームの枢動軸線は受け口の下方部分と一体である。受け口内で分配アームが枢動するのを可能にするため、分配アームの上端には受け口と接することの可能な側に形成した面取りを設けることができる。面取りは例えば分配アームの最大枢動に対応する所定の角度に沿って形成されている。
【００１３】
本発明の実施態様においては、分配アームの上端は、分配アームが枢動して分配アーム内に既に存在する第１のボールを解放した時に第２のボールが分配アーム内に進入するのを阻止する手段を有する。好ましくは、この阻止手段は分配アームの端部の縁からなる。
【００１４】
受け口は、その下端に、分配アームの枢動に対するストッパとして作用する面取りを有することができる。このストッパは傾斜させることができ、ゴルフボールが降下することができるアームの枢動角を精密に固定するのに寄与する。
【００１５】
更に、分配アームの内径は受け口の上方部分の内径にほぼ等しい。
【００１６】
本発明の好ましい実施態様によれば、ディスペンサは、受け口の下方部分の内側面に配置され、分配アーム内に形成した開口と協働する、突出したカムを有し、このカムは分配アーム内に導入されたボールをロックするべく作用し、次のボールは最初のボールの上に安息する。カムは分配アームが枢動した時に分配アーム内に存在するゴルフボールを釈放するべく成形されている。特に、分配アームが所定の枢動角に達した時に分配アーム内に存在するゴルフボールを釈放することの可能な傾斜を有するカムを設けることができる。この角度は受け口に形成した面取りの傾斜に合わせることができる。
【００１７】
換言すれば、ゴルフボールの一つづつの分配は、簡単な機械的な二進ディバイダによって行われる。即ち、分配アームを垂直な姿勢にして、フランジの上方に位置するゴルフボール容器へゴルフボールを供給した時には、ゴルフボールはフランジ内に降下し、次いで受け口を通過し、ボールの１つは分配アーム内を貫通してカムに至り、そこで停止せられる。次いで、プレーヤが選ばれた領域の上方に分配アームを位置決めするまで（例えば垂直軸線に対して２０°の枢動の後）分配アームを引っ張ると、カムは脇に寄って、所望の位置決め点（ティー、マット、又は地面）までゴルフボールが降下するのを許容するであろう。分配アームは分配位置では傾斜しているので、分配アームの上縁の最も高い点は次のボールを停止させるであろう。このため、唯一のボールのみが分配アーム内に存在することができる。分配アームが垂直軸線へ戻ると（分配アームを単に釈放することによる）、今度は最も高い点が脇に寄り、これは新たなゴルフボールがカムまで降下するのを許容するであろう（以下同様）。
【００１８】
ゴルフボールがティーの上に置かれた時には、分配アームの戻り運動がゴルフボールを引きずることはないであろう。何故ならば、分配アームの下端に開口又は切欠きが形成してあるからである。
【００１９】
特定の実施態様によれば、ディスペンサは分配アームを休止位置か分配位置かにロックするための磁石を備えている。これらの磁石は受け口内に配置することができる。
【００２０】
好ましくは、分配アームはゴルフボールを精密に置くことを可能にする緩衝器を備えている。この緩衝器は分配アームの下端近くに形成されたＳ字形のエルボで構成することができる。
【００２１】
更に、フランジはディスペンサを高い位置に保持するための三脚を有することができる。好ましくは、三脚は伸縮式の脚を有する。三脚は、分配アームの移動方向に垂直な垂直面内に配置されユーザに面する２本の前脚と、フランジに関し２本の前脚とは反対側に配置された第３の後脚を有することができる。２本の前脚は、第１の脚がほぼ垂直になり、第２の脚が三脚の均衡を保障するべく傾斜するようにすることができる。また、第３の脚が三脚の均衡を強化するべく錘りを受取るようになったフックを有するようにすることができる。パターは練習に決して使用しない唯一のクラブであるが、ゴルファーのバッグの中に常に存在するので、この釣り合い錘りとしてパターを使用することができる。クラブ又はそのセットの代わりに、釣り合い錘りとして水のボトルを使用することができる。
【００２２】
本発明によれば、３本の脚は着脱式であり、搬送にあたり分配アームの中に収納することの可能な直径を有する。
【００２３】
練習場へのディスペンサの位置決めを容易にするため、かつ、ティーとディスペンサとの間の距離を容易に決定するため、フランジに対する受け口の高さは調節可能である。例えば、調節可能な高さは４０mmにすることができ、これはティーの高さにほぼ対応する。従って、ティーのサイズに応じてディスペンサを容易に適合させることができる（アイアンには小さく、ドライバには大きく）。
【００２４】
本発明の実施例によれば、上部容器はフランジの上に配置された垂直なバレルからなる。このバレルの回転軸線は、バレルの周辺空洞内に貯蔵されたボールが受け口内へ垂直に落下することができるように、受け口の上部開口の軸線に関してオフセットされている。
【００２５】
更に、バレルには、ボールをバレルの空洞内で案内するべくバレルの空洞に面する周辺開口を備えたディスクが被せることができる。このディスクは、また、これらの周辺開口に向かってボールを案内する中央突起を備えている。ディスペンサは、更に、ディスクの縁に係合する上方へ広がった着脱可能な漏斗を備えている。ボールは漏斗へ空けられ、後者はボールをバレルの空洞内へと案内する。
【００２６】
好ましくは、分配アームの内側にはゴルフボールの落下を緩衝するための複数の非同心的なリングを設けることができる。これらのリングは分配アームの下端に近づくにつれて前後の２つのリングの間隔が減少するように配置されている。
【００２７】
本発明の他の利点や特徴は非限定的な実施例の詳細な説明および添付図面から明らかとなろう。
【発明を実施するための最良の形態】
【００２８】
図１には本発明のゴルフボール・ディスペンサ１が示してある。このディスペンサはゴルフボールを入れる容器２を備え、この容器２はフランジ３上に載置してあり、このフランジには前脚６、７と後脚５を有する三脚が取付けてある。フランジ３は受け口４に連携してあり、この受け口はフランジ３を貫通して配置してあって容器２が直接に受け口４の上部開口と係合するようになっている。受け口４の下部は、フランジ３の下方で、分配アーム８と回転可能に係合している。このアームは、受け口４を介して容器２から来たゴルフボール１０を地面に配置したティー１１に持ち来すのを可能にする。フランジの上方に位置するゴルフボール容器は、少なくともゴルフボールバケツの量に等しい容量を有する。この容器は容器のうちフランジから突き出た上方部分の周りにそれを巻きつけることができるように充分に柔軟なプラスチック板で形成してあり、もって嵩を最小限にして全体の運搬を容易にするようになっている。嵩に関する同じ理由により、ゴルフボール・ディスペンサを支える３本の脚（寸法上のあらゆる状況に適合するべく伸縮式）は分配アームの中に収納することができ、例えば直径１９ｍｍの３本の脚は直径４４ｍｍに内接する。
【００２９】
休止位置においては、分配アーム８は受け口４の下方に垂直に配置される。受け口は１つのゴルフボールだけを受け口４内に挿入された分配アーム８の上方部分内に配置するための手段を有する。
【００３０】
分配位置においては、分配アーム８はその下端がティー１１の上方に位置するように所定角度回転させてあり、従ってゴルフボール１０はこのティーの上に載せることができる。分配アーム８は上端から重力によって落下するゴルフボールを制動するべく充分に強調されたエルボの形の緩衝器９を備えているので、載置は精密に行われる。緩衝器９には分配アーム８の下端まで延長する開口１２が切欠いてあり、その休止位置へ戻る際にこの分配アーム８がゴルフボール１０を引きずらないようになっている。
【００３１】
分配アーム８を枢動させるため、ユーザ即ちゴルフプレーヤは、ゴルフクラブを用いて例えば緩衝器９を捕らえることができる。これは、練習ボールのバケツ内にせよ、地面の正確な或る領域の上かティーの上にボールをうまく位置決めするためにせよ、ゴルフプレーヤがボールを取り上げるために屈まないことを可能にする。従って、プレーヤは最後のポジションを変更することなくその前回のスタンス（ティーに対する脚の位置）を保持することができるであろう。
【００３２】
図２には本発明のゴルフボール・ディスペンサの概略的側面図を示す。図１の構成要素の大部分がここで同じ参照番号で示してある。特に、前脚６と後脚５は再び示してある。分配アーム８は休止位置にある。容器２は１セットのゴルフボールを収容しており、そのうち第１ボールは１３、第２ボールは１４である。受け口４は管状であり、ゴルフボールは１つづつ入ることができる。
【００３３】
図から分かるように、休止位置では、受け口４によって案内された第１のボール１３は分配アーム８の上方部分（この上方部分は受け口４内に挿入されている）に導入される。ボール１３は、カム１５によって保持されるので、分配アーム８に沿って摺動しない。この図で三角形のこのカム１５は受け口４と一体になっている。好ましくは、分配アーム８は、このカム１５に相対峙して、カム１５が部分的にこの分配アーム８の内側に位置するのを可能にする開口を有する。最初のゴルフボール１３は、従って、カム１５の傾斜面上に載置されると共に分配アーム８の対向する縁の上に
載置される。受け口４内で案内された第２のボール１４は、第１のゴルフボール１３の上に載るに至る。ユーザが分配アーム８を図３に示したように休止位置から分配位置へと所定角度枢動させた時には、カム１５は脇に寄り、ボール１３が重力により緩衝器９まで、かつ、ティー１１の上まで滑るのを許容する。分配アーム８の上端は、カム１５に直径方向に相対峙する縁１６が枢動して、重力による第２ゴルフボール１４の下降を阻止するように成形してある。従って、分配アーム８は一度に１つのゴルフボールしか運ぶことができない。図４および図５には受け口４の中で作動する機構をより詳細に示す。
【００３４】
図４は休止位置の分配アーム８を示し、ゴルフボール１３は部分的に分配アーム８の上方部分内に挿入されている。第２のゴルフボール１４は第１のゴルフボール１３の上に載っているが、分配アーム８の外側にあると共に受け口４の内側にある。受け口４内の面取り１８は図５に示した分配位置における分配アーム８の傾斜の度合いを特定するストッパの役割をする。カム１５の側における、分配アーム８の上端の縁に形成した面取り１７は、受け口４の下部の内側における分配アーム８の枢動運動を可能にする。
【００３５】
受け口４の下端に配置された磁石１９は分配アーム８を休止位置に保持するのを可能にすると共に、分配アーム８が分配位置に戻った時のはね返りを回避するのを可能にする。この磁石は分配アーム８に対して影響を与えるようにカム１５の側面の両側に延長させることができる。アームには磁石１９と磁気的に協働する金属部分を設けることができる。
【００３６】
同様に、磁石１９とは反対側に配置された磁石２０は分配アーム８を分配位置に保持するのを可能にすると共に、このアームが早期に戻るのを回避するのを可能にする。
【００３７】
図５において、分配位置では、カム１５は分配アーム８の内側でボール１３が滑るのを許容するべく脇に寄る。縁１６は第２のゴルフボール１４を分配アーム８の外側に保持する。この第２ゴルフボール１４は、分配アーム８がその休止位置へ戻った時にしか分配アーム８の内側に進入しないであろう。
【００３８】
図６には、本発明のゴルフボール・ディスペンサの実施例が示してある。この実施例では、２本の前脚は、第１の脚２１がほぼ垂直に（即ち、フランジ３に直角に）配置され、第２の脚２２が第１の脚２１に関して外側へ向かってかなり傾斜するようになっている。第３の後脚は常に後方へ傾斜している。ゴルフボール１０はゴルフプレーヤとゴルフボール・ディスペンサとの間でティー１１上に載置してある。この実施例はゴルフプレーヤが脚２２から脚２１へ向かう側方運動によってボールを送る練習をする時に理想的である。プレーヤは従って脚２１が練習場内にないので大きな開き角度を有する。この実施例は、また、“ソケット”（即ち、下手に打ったゴルフボール）の際にゴルフボールがディスペンサの脚に接触する危険を低減するのを可能にする。この実施例は、また、プレーヤが右利きであるか左利きであるかに応じて、脚２２が垂直になり、脚２１が大幅に傾斜するように構成することができる。このため、図１５に示したように、フランジ３（又は後述するように３３）は傾斜したのが左脚であるような第１位置および傾斜したのが右脚であるような第２位置に２本の前脚を位置決めするための可逆的楔を有する。楔４６の断面は四辺形であり、その左辺４７は傾斜した脚３６を楔止するための角度を呈し、右辺４８は右脚３５を保持するべく垂直である。位置決めを反転するためには（即ち、脚３６が真っ直ぐで、脚３５が傾斜）、側辺４７が脚３５に沿うように楔４６を１８０°枢動させる。楔４６と一体の軸４９はフランジの上面に設けた開口内に挿入することができ、これらの開口は位置決めの照準として作用する。
【００３９】
図７および図８には、ゴルフクラブ２５を用いてゴルフボール１０を打つ準備をするゴルフプレーヤ２３を示されている。このプレーヤは練習用マット２７の上に位置し、このマットは地面２４の上に置いてある。ボール・ディスペンサは、分配アーム８の分配位置がゴルフボールをティー１１の上へ置くのを可能にするように配置されている。標準的な配置では、マット２７は平らな地面２４に置かれる。この場合には、ディスペンサ１はマットの上か地面２４の上に置くことができる。しかしながら、非標準的な配置においては、即ち、地面２４が図８に示したように大きなレベル差２８を呈する場合には、今日の装置は使用することはできない。これに対して、本発明のディスペンサ１は伸縮式の脚を備えているので、容易に使用することができる。これらの伸縮式の脚は、レベル差２８が大きな極端な場合においても、或いは標準的な使用条件下でも、使用することができる。例として、夫々の脚は異なる地面に適合させるために約２００ｍｍ伸長させることができる。この場合には受け口は固定することができる。
【００４０】
一般に、２本の前脚５と６はゴルフプレーヤの方へ傾斜させるか、或いは垂直にしておくことができる。これらの脚を垂直に配置した場合には、プレーヤはより多くのスペースを有する。
【００４１】
勿論、本発明は前記した実施例に限定されるものではなく、本発明の範囲を逸脱することなく種々の変更を加えることができる。特に、後脚５に形成したフックにゴルフクラブを置くことにより、この後脚５を加重し、もって必要に応じてディスペンサを均衡させるようにすることができる。また、図１０に示したように、ボトルを配置することができる。
【００４２】
また、前記図面に記載したような容器２を図９および図１０に示したようにバレル２９で置換することができる。この利点は、容器２の絞りのところに起こり得るボールの詰まりを回避することである。
【００４３】
図９および図１０では、バレル２９には一体のディスク３２が被せてある。ディスク３２には漏斗４１が固定してあり、漏斗４１にボールを充填した時に開口４２とディスク３２の突起４３のお陰でボールが空洞３０内に案内されるようになっている。バレルの下端はピン３４によりフランジ３３と偏心状に係合する第２のディスク３１を中心として枢動することができる。
【００４４】
バレル２９が所与の位置にある時には、バレルの空洞は第２ディスク３１に形成した開口およびフランジ３３に形成した開口と同心的である。そこでボールは直接かつ垂直にバレルから分配アーム４０まで受け口３９を介して滑る。受け口３９はここでは非常に模式的に示してあり、好ましくは、図４および図５の実施例に対応する。
【００４５】
運搬のためには、漏斗４１とバレル２９との組立体を取り外す。これら２つの構成要素は互いに一体的であるか、互いに着脱することができる。次に、支持体３３、４０、３５、３６、３７を組立体４１、２９の上から組立体４１、２９内に重ねる。バレル２９は中央トンネルを有し、その中に分配アーム４０が係合する。脚３５と３６はバレルの２つの空洞３０内に楔止される。第３の脚３７はバレルに対して押しつけられる。図１１は図９および図１０のディスペンサが運搬姿勢にあるところを示す。
【００４６】
図１０には、適当な距離にティー３８を置くのを可能にするゲージ４４を示す。好ましくは、ティー３８は、ディスペンサの分配アームからほぼ垂直にボールが落下した時にゴルフボールが逸失するのを阻止するための戻し突起４５を有する。この突起はティーの側面から上方へ延長している。ゴルフボールが受取り面上の休止位置にある時には、突起４５とボールは互いに例えば２ｍｍ離れている。従って、突起とボールは接触せず、プレーヤのクラブは突起がボールの軌跡を邪魔することなく、従ってボールの軌跡を変更することなく、ボールを打つことができる。
【００４７】
図１２および図１３には、複数の非同心的リングで構成された分配アーム４０の内側を示す。図１２はエルボ付きの分配アームを示す。このエルボは、真っ直ぐになるように、即ち、図１３に示したように分配アーム８の組立体と整列するように、回転継手により枢動することができる。曲がった姿勢は、エルボが垂直になり、従ってアームが分配位置にある時にボールが垂直に落下することができるような、角度を有する。この角度はアームが分配位置における垂線に対して20°にある時に160°であり得る。図１４はアーム内の異なるリングの配置を示す上面図である。下端に近づくほど、リングは相互に近づく。この配置はゴルフボールの落下を緩慢にするのを可能にする。下端は曲折させてもよいし、させなくてもよい。リングの内径はゴルフボールの直径より僅かに大きい。
【図面の簡単な説明】
【００４８】
【図１】図１は本発明のゴルフボール・ディスペンサの全体図である。
【図２】図２は休止位置における本発明のゴルフボール・ディスペンサの側面図である。
【図３】図３は分配位置における本発明のゴルフボール・ディスペンサの側面図である。
【図４】図４は休止位置におけるディスペンサの中央部の詳細図である。
【図５】図５は分配位置におけるディスペンサの詳細な側面図である。
【図６】図６は本発明のゴルフボール・ディスペンサの特定の実施例の正面図である。
【図７】図７は標準的な練習場への本発明のディスペンサの応用例である。
【図８】図８は大きなレベル差のある練習場への本発明のディスペンサの他の応用例である。
【図９】図９は容器としてバレルを備えた本発明の装置の分解図である。
【図１０】図１０はバレルを備えたディスペンサの分配位置における図である。
【図１１】図１１は搬送位置における図９および１０のディスペンサの図である。
【図１２】図１２は、非同心的リングの形のブレーキを備えた、屈曲位置における分配アームの内側を示す模式図である。
【図１３】図１３は、非同心的リングの形の緩衝器を備えた、真っ直ぐな搬送位置における分配アームの内側を示す模式図である。
【図１４】図１４は図１３の分配アームの模式的上面図である。
【図１５】図１５はフランジ内の可逆的楔を示す模式的断面図である。
【図１】
2005537836.tif 000003
【図２】
2005537836.tif 000004
【図３】
2005537836.tif 000005
【図４】
2005537836.tif 000006
【図５】
2005537836.tif 000007
【図６】
2005537836.tif 000008
【図７】
2005537836.tif 000009
【図８】
2005537836.tif 000010
【図９】
2005537836.tif 000011
【図１０】
2005537836.tif 000012
【図１１】
2005537836.tif 000013
【図１２】
2005537836.tif 000014
【図１３】
2005537836.tif 000015
【図１４】
2005537836.tif 000016
【図１５】
2005537836.tif 000017
【国際調査報告】
2005537836.tif 000018
2005537836.tif 000019
2005537836.tif 000020
2005537836.tif 000021